(57)【要約】【課題】より確実にカラーシフトを抑制する。【解決手段】表示装置は、１つの画素Ｐｉｘが有する複数の副画素Ｖｐｉｘの色はそれぞれ異なり、副画素Ｖｐｉｘが、電極の開口部の長手方向が第１方向である第１副画素Ｖｐｉｘａと電極の開口部の長手方向が第２方向である第２副画素Ｖｐｉｘｂとを含み、行方向に並ぶ副画素Ｖｐｉｘが第１副画素Ｖｐｉｘａ又は第２副画素Ｖｐｉｘｂであり、列方向に色のパターンを構成する副画素数が２αであり、列方向に並ぶ第１副画素Ｖｐｉｘａと第２副画素Ｖｐｉｘｂの１周期を構成する副画素数が４αであり、一周期内で列方向の一端側から数えた場合に第１副画素Ｖｐｉｘａが奇数番目にある数、第１副画素Ｖｐｉｘａが偶数番目にある数、第２副画素Ｖｐｉｘｂが奇数番目にある数及び第２副画素Ｖｐｉｘｂが偶数番目にある数が等しく、αは自然数である。【選択図】図１３
2019074568.tif 000002
【特許請求の範囲】
【請求項１】
複数の画素が行列方向に配置されている表示面を有する表示部を備える表示装置であって、
１つの画素は、複数の副画素を有し、
１つの画素が有する前記複数の副画素の色はそれぞれ異なり、
副画素は、電極の開口部の長手方向が第１方向である第１副画素と、電極の開口部の長手方向が第２方向である第２副画素とを含み、
前記第１方向と前記第２方向は、前記表示面に沿い、かつ、行列方向と異なる方向であり、
前記行列方向のうち一方向である第３方向に並ぶ副画素は前記第１副画素又は前記第２副画素であり、
前記行列方向のうち他方向である第４方向に１つの色のパターンを構成する副画素の数が２αであり、
前記第４方向に並ぶ前記第１副画素と前記第２副画素が一周期を構成する副画素の数が４αであり、
前記一周期内で前記第４方向の一端側から数えた場合に前記第１副画素が奇数番目にある数、前記第１副画素が偶数番目にある数、前記第２副画素が奇数番目にある数及び前記第２副画素が偶数番目にある数が等しく、
αは自然数である
表示装置。
【請求項２】
前記１つの画素は、前記第３方向に並ぶ２つの副画素を有し、
前記複数の画素は、第１の色の副画素と第２の色の副画素を有する第１画素と、第３の色の副画素と第４の色の副画素を有する第２画素とを含み、
前記第１画素と前記第２画素とは、前記行列方向に沿って交互に配置されている
請求項１に記載の表示装置。
【請求項３】
前記１つの画素は、前記第３方向に並ぶ２つの副画素を有し、
前記複数の画素は、第１の色の副画素と第２の色の副画素を有する第１画素と、第１の色の副画素と第３の色の副画素を有する第２画素と、前記第２の色の副画素と前記第３の色の副画素を有する第３画素とを含み、
前記第３方向に前記第１画素、前記第２画素及び前記第３画素が周期的に配置され、
前記第４方向に前記第１画素、前記第２画素及び前記第３画素のうち２つの画素が交互に配置され、
異なる色の副画素が前記行列方向に並ぶ
請求項１に記載の表示装置。
【請求項４】
αは２の倍数である
請求項１に記載の表示装置。
【請求項５】
前記１つの画素は、前記第３方向に並ぶ２つの副画素を有し、
前記複数の画素は、第１の色の副画素と第２の色の副画素を有する第１画素と、第１の色の副画素と第３の色の副画素を有する第２画素と、前記第２の色の副画素と前記第３の色の副画素を有する第３画素とを含み、
前記第３方向に前記第１画素、前記第２画素及び前記第３画素が周期的に配置され、
前記第４方向に前記第１画素、前記第２画素及び前記第３画素のうち２つの画素が残り１つの画素を間に挟んで周期的に配置されている
請求項４に記載の表示装置。
【請求項６】
一周期内で前記第４方向の一端側から数えた場合における前記第１副画素の連続数と前記第２副画素の連続数が等しい
請求項１から５のいずれか一項に記載の表示装置。
【請求項７】
前記第１副画素の連続数及び前記第２副画素の連続数は２である
請求項６に記載の表示装置。
【請求項８】
前記第１副画素の連続数及び前記第２副画素の連続数は４である
請求項６に記載の表示装置。
【請求項９】
複数の画素が行列方向に配置されている表示面を有する表示部を備える表示装置であって、
１つの画素は、複数の副画素を有し、
１つの画素が有する前記複数の副画素の色はそれぞれ異なり、
副画素は、電極の開口部の長手方向が第１方向である第１副画素と、電極の開口部の長手方向が第２方向である第２副画素とを含み、
前記第１方向と前記第２方向は、前記表示面に沿い、かつ、行列方向と異なる方向であり、
前記行列方向のうち一方向である第３方向に並ぶ副画素は前記第１副画素又は前記第２副画素であり、
前記行列方向のうち他方向である第４方向に１つの色のパターンを構成する副画素の数が３αであり、
前記第４方向に並ぶ前記第１副画素と前記第２副画素が一周期を構成する副画素の数が６αであり、
前記一周期内で前記第４方向の一端側から数えた場合における前記第１副画素の連続数と前記第２副画素の連続数が３βであり、
α，βは自然数である
表示装置。
【請求項１０】
前記１つの画素は、前記第３方向に並ぶ２つの副画素を有し、
前記複数の画素は、第１の色の副画素と第２の色の副画素を有する第１画素と、第１の色の副画素と第３の色の副画素を有する第２画素と、前記第２の色の副画素と前記第３の色の副画素を有する第３画素とを含み、
前記行列方向に前記第１画素、前記第２画素及び前記第３画素が周期的に配置され、
異なる色の副画素が前記行列方向に並ぶ
請求項９に記載の表示装置。
【請求項１１】
前記１つの画素は、前記第３方向に並ぶ２つの副画素を有し、
前記複数の画素は、第１の色の副画素と第２の色の副画素を有する第１画素と、第１の色の副画素と第３の色の副画素を有する第２画素と、前記第２の色の副画素と前記第３の色の副画素を有する第３画素とを含み、
前記第３方向に前記第１画素、前記第２画素及び前記第３画素が周期的に配置され、
前記第１の色の副画素、前記第２の色の副画素及び前記第３の色の副画素のうち２つの色の副画素は、前記第４方向に２つ連続する
請求項９に記載の表示装置。
【請求項１２】
前記表示部は、対向する２つの基板のうち一方の基板に設けられた電極に与えられる電位に基づいて、当該２つの基板の間に設けられた液晶層の液晶分子を回転させる液晶パネルを有し、
前記液晶分子は、前記２つの基板と平行な面内で回転し、
前記第１副画素の前記液晶分子の初期配向は前記第１方向に沿い、
前記第２副画素の前記液晶分子の初期配向は前記第２方向に沿う
請求項１から１１のいずれか一項に記載の表示装置。
【発明の詳細な説明】
【技術分野】
【０００１】
本発明は、表示装置に関する。
【背景技術】
【０００２】
ＩＰＳ（In  Plane  Switching）方式等、横電界方式の液晶表示装置における配向を全ての副画素で統一する所謂シングルドメイン方式では、異なる視野角間で視認される色が異なる所謂カラーシフトが生じることがある。そこで、それぞれ配向が異なる複数種類の副画素を設けた所謂マルチドメイン方式の表示装置が知られている（例えば特許文献１、特許文献２等）。
【先行技術文献】
【特許文献】
【０００３】
【特許文献１】特開２０００−２９０７２号公報
【特許文献２】国際公開第２０１４／１８５１２２号
【発明の概要】
【発明が解決しようとする課題】
【０００４】
従来のマルチドメイン方式では、配向が異なる２種類の副画素が行単位で交互に配置されていた。このため、行単位で副画素の色に偏りがある場合、各色の副画素における２種類の副画素の配向の割合が不均一になるため、カラーシフトが解消されなかった。
【０００５】
本発明は、上記の課題に鑑みてなされたもので、より確実にカラーシフトを抑制することができる表示装置を提供することを目的とする。
【課題を解決するための手段】
【０００６】
本発明の一態様による表示装置は、複数の画素が行列方向に配置されている表示面を有する表示部を備える表示装置であって、１つの画素は、複数の副画素を有し、１つの画素が有する前記複数の副画素の色はそれぞれ異なり、副画素は、電極の開口部の長手方向が第１方向である第１副画素と、電極の開口部の長手方向が第２方向である第２副画素とを含み、前記第１方向と前記第２方向は、前記表示面に沿い、かつ、行列方向と異なる方向であり、前記行列方向のうち一方向である第３方向に並ぶ副画素は前記第１副画素又は前記第２副画素であり、前記行列方向のうち他方向である第４方向に１つの色のパターンを構成する副画素の数が２αであり、前記第４方向に並ぶ前記第１副画素と前記第２副画素が一周期を構成する副画素の数が４αであり、前記一周期内で前記第４方向の一端側から数えた場合に前記第１副画素が奇数番目にある数、前記第１副画素が偶数番目にある数、前記第２副画素が奇数番目にある数及び前記第２副画素が偶数番目にある数が等しく、αは自然数である。
【図面の簡単な説明】
【０００７】
【図１】図１は、実施形態１に係る表示装置の一例を表す説明図である。
【図２】図２は、図１の表示装置のシステム例を表すブロック図である。
【図３】図３は、画素を駆動する駆動回路の一例を示す回路図である。
【図４】図４は、表示部の一例を示す断面図である。
【図５】図５は、実施形態１に係る表示装置の画素を模式的に示す平面図である。
【図６】図６は、実施形態１に係る表示装置の画素をスイッチングするトランジスタの一例を模式的に示す断面図である。
【図７】図７は、実施形態１における第１副画素と第２副画素の配置例を示す図である。
【図８】図８は、実施形態１における画素及び副画素の配置パターン例を示す図である。
【図９】図９は、明暗を含む表示パターンの一例を示す図である。
【図１０】図１０は、図８のパターン１−１が示す画素及び副画素の配置パターンを有する実施形態１の表示装置で図９の表示パターンに対応した表示出力を行った場合の例を示す模式図である。
【図１１】図１１は、図８のパターン１−２が示す画素及び副画素の配置パターンを有する実施形態１の表示装置で図９の表示パターンに対応した表示出力を行った場合の例を示す模式図である。
【図１２】図１２は、参考例における第１副画素と第２副画素の配置例を示す図である。
【図１３】図１３は、図８のパターン１−１が示す画素及び副画素の配置パターンを有する参考例の表示装置で図９の表示パターンに対応した表示出力を行った場合の例を示す模式図である。
【図１４】図１４は、図８のパターン１−２が示す画素及び副画素の配置パターンを有する参考例の表示装置で図９の表示パターンに対応した表示出力を行った場合の例を示す模式図である。
【図１５】図１５は、実施形態２における第１副画素と第２副画素の配置例を示す図である。
【図１６】図１６は、実施形態２における画素及び副画素の配置パターン例を示す図である。
【図１７】図１７は、図１６のパターン２−１が示す画素及び副画素の配置パターンを有する実施形態２の表示装置で図９の表示パターンに対応した表示出力を行った場合の例を示す模式図である。
【図１８】図１８は、図１６のパターン２−２が示す画素及び副画素の配置パターンを有する実施形態２の表示装置で図９の表示パターンに対応した表示出力を行った場合の例を示す模式図である。
【図１９】図１９は、図１６のパターン２−１が示す画素及び副画素の配置パターンを有する実施形態１の表示装置で図９の表示パターンに対応した表示出力を行った場合の例を示す模式図である。
【図２０】図２０は、図１６のパターン２−２が示す画素及び副画素の配置パターンを有する実施形態２の表示装置で図１２に示す第１副画素と第２副画素の配置例が採用された表示装置で図９の表示パターンに対応した表示出力を行った場合の例を示す模式図である。
【図２１】図２１は、実施形態３における第１副画素と第２副画素の配置の一例を示す図である。
【図２２】図２２は、実施形態３における第１副画素と第２副画素の配置の別の一例を示す図である。
【図２３】図２３は、実施形態３における画素及び副画素の配置パターン例を示す図である。
【図２４】図２４は、図２３のパターン３が示す画素及び副画素の配置パターンを有する実施形態３の表示装置の一例（図２１）で図９の表示パターンに対応した表示出力を行った場合の例を示す模式図である。
【図２５】図２５は、図２３のパターン３が示す画素及び副画素の配置パターンを有する実施形態３の表示装置の別の一例（図２２）で図９の表示パターンに対応した表示出力を行った場合の例を示す模式図である。
【発明を実施するための形態】
【０００８】
以下に、本発明の各実施の形態について、図面を参照しつつ説明する。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【０００９】
（実施形態１）
図１は、実施形態１に係る表示装置１の一例を表す説明図である。図２は、図１の表示装置１のシステム例を表すブロック図である。図１は模式的に表したものであり、実際の寸法、形状と同一とは限らない。
【００１０】
表示装置１は、表示部２と、ドライバＩＣ３と、バックライト６と、を備えている。表示装置１は、透過型、又は半透過型の表示装置であってもよく、バックライト６を備えない、反射型の表示装置であってもよい。図示しないフレキシブルプリント基板（ＦＰＣ（Flexible  Printed  Circuits））は、ドライバＩＣ３への外部信号又はドライバＩＣ３を駆動する駆動電力を伝送する。表示部２は、透光性絶縁基板、例えばガラス基板１１と、ガラス基板１１の表面にあり、画素Ｐｉｘ（図３参照）が行列方向に沿ってマトリクス状に多数配置されてなる表示エリア部２１と、水平ドライバ（水平駆動回路）２３と、垂直ドライバ（垂直駆動回路）２２Ａ、２２Ｂと、を備えている。垂直ドライバ（垂直駆動回路）２２Ａ、２２Ｂは、第１垂直ドライバ２２Ａ、第２垂直ドライバ２２Ｂとして、表示エリア部２１を挟むように配置されているが、第１垂直ドライバまたは第２垂直ドライバのいずれか一方のみであってもよい。ガラス基板１１は、能動素子（例えば、トランジスタ）を含む多数の画素回路がマトリクス状に配置形成される第１基板と、この第１の基板と所定の間隙をもって対向して配置される第２基板とを含む。そして、ガラス基板１１は、第１基板、第２基板の間に液晶が封入されることで形成された液晶層５４（図４参照）を有する。水平ドライバ（水平駆動回路）２３と、垂直ドライバ（垂直駆動回路）２２Ａ、２２Ｂとは、第１基板に形成されるので、周辺回路ともよばれる。表示装置１は、このような液晶表示装置に限られず、表示装置１が有機発光ダイオード（ＯＬＥＤ）のような自発光体を点灯する表示装置であってもよい。この場合、表示装置１は、表示エリア部２１が発光できるので、バックライト６を不要とすることができる。
【００１１】
表示部２の額縁領域１１ｇｒ、１１ｇｌは、ガラス基板１１上に形成され、液晶素子ＬＣ（図３参照）を含む画素Ｐｉｘがマトリクス状に多数配置されてなる表示エリア部２１の外側にある、非表示領域である。垂直ドライバ２２Ａ、２２Ｂは、額縁領域１１ｇｒ、１１ｇｌに配置されている。
【００１２】
バックライト６は、表示部２の裏面側（画像を表示する面とは反対側の面）に配置されている。バックライト６は、表示部２に向けて光を照射し、表示エリア部２１の全面に光を入射させる。バックライト６は、例えば光源と、光源から出力された光を導いて、表示部２の裏面に向けて出射させる導光板と、を含む。
【００１３】
表示部２は、ガラス基板１１上に、表示エリア部２１と、インターフェース（Ｉ／Ｆ）及びタイミングジェネレータの機能を備えるドライバＩＣ３と、第１垂直ドライバ２２Ａ、第２垂直ドライバ２２Ｂ及び水平ドライバ２３とを備えている。
【００１４】
表示エリア部２１は、液晶層５４を含む副画素Ｖｐｉｘが、表示上の１画素を構成するユニットがｍ行×ｎ列に配置されたマトリクス構造を有している。なお、この明細書において、行とは、一方向（第３方向）に配列されるｎ個の副画素Ｖｐｉｘを有する画素行をいう。また、列とは、行が配列される方向と直交する他方向（第４方向）に配列されるｍ個の副画素Ｖｐｉｘを有する画素列をいう。そして、ｍとｎとの値は、垂直方向の表示解像度と水平方向の表示解像度に応じて定まる。表示エリア部２１は、副画素Ｖｐｉｘのｍ行ｎ列の配列に対して行毎に走査線２４１、２４２、２４３・・・２４ｍが配線され、列毎に信号線２５１、２５２、２５３・・・２５ｎが配線されている。以後、実施形態１においては、走査線２４１、２４２、２４３・・・２４ｍを代表して走査線２４又は走査線２４ｍのように表記し、信号線２５１、２５２、２５３・・・２５ｎを代表して信号線２５又は信号線２５ｎのように表記することがある。また、実施形態１においては、走査線２４１、２４２、２４３・・・２４ｍを代表して走査線２４ｍ＋１、２４ｍ＋２、２４ｍ＋３・・・のように表記し、信号線２５１、２５２、２５３・・・２５ｎを代表して信号線２５ｎ＋１、２５ｎ＋２、２５ｎ＋３・・・のように表記することもある。表示エリア部２１は、正面に直交する方向から見た場合、走査線２４と信号線２５がカラーフィルタのブラックマトリクスと重なる領域に配置されている。また、表示エリア部２１は、ブラックマトリクスが配置されていない領域が開口部となる。
【００１５】
表示部２には、外部から外部信号である、マスタークロック、水平同期信号及び垂直同期信号が入力され、ドライバＩＣ３に与えられる。ドライバＩＣ３は、外部電源の電圧振幅のマスタークロック、水平同期信号及び垂直同期信号を、液晶の駆動に必要な内部電源の電圧振幅にレベル変換（昇圧）し、マスタークロック、水平同期信号及び垂直同期信号を生成する。ドライバＩＣ３は、生成したマスタークロック、水平同期信号及び垂直同期信号をそれぞれ第１垂直ドライバ２２Ａ、第２垂直ドライバ２２Ｂ及び水平ドライバ２３に与える。ドライバＩＣ３は、副画素Ｖｐｉｘ毎の画素電極７２（図５参照）に対して各画素共通に与える共通電位を生成して表示エリア部２１に与える。
【００１６】
第１垂直ドライバ２２Ａ、第２垂直ドライバ２２Ｂは、シフトレジスタを含み、さらにラッチ回路等を含む。第１垂直ドライバ２２Ａ、第２垂直ドライバ２２Ｂは、ラッチ回路が、垂直クロックパルスに同期してドライバＩＣ３から出力される表示データを１水平期間で順次サンプリングしラッチする。第１垂直ドライバ２２Ａ、第２垂直ドライバ２２Ｂは、ラッチ回路においてラッチされた１ライン分のデジタルデータを垂直走査パルスとして順に出力し、表示エリア部２１の走査線２４ｍ＋１、２４ｍ＋２、２４ｍ＋３・・・に与えることによって副画素Ｖｐｉｘを行単位で順次選択する。第１垂直ドライバ２２Ａ、第２垂直ドライバ２２Ｂは、走査線２４ｍ＋１、２４ｍ＋２、２４ｍ＋３・・・の延在方向に走査線２４ｍ＋１、２４ｍ＋２、２４ｍ＋３・・・を挟むように配置されている。第１垂直ドライバ２２Ａ、第２垂直ドライバ２２Ｂは、例えば、走査線２４ｍ＋１、２４ｍ＋２、２４ｍ＋３・・・の表示エリア部２１の上寄り、垂直走査上方向から、表示エリア部２１の下寄り、垂直走査下方向へ順にデジタルデータを出力する。また、第１垂直ドライバ２２Ａ、第２垂直ドライバ２２Ｂは、走査線２４ｍ＋１、２４ｍ＋２、２４ｍ＋３・・・の表示エリア部２１の下寄り、垂直走査下方向から、表示エリア部２１の上寄り、垂直走査上方向へ順にデジタルデータを出力することもできる。なお、垂直走査における上方向とは、走査線２４ｍ＋１、２４ｍ＋２、２４ｍ＋３・・・の並び方向に沿う一方向である。下方向とは、上方向の反対側の方向である。
【００１７】
水平ドライバ２３には、所定ビット数（例えば６ビット）の赤（Ｒ）、緑（Ｇ）、青（Ｂ）、白（Ｗ）の表示データが与えられる。水平ドライバ２３は、第１垂直ドライバ２２Ａ、第２垂直ドライバ２２Ｂによる垂直走査によって選択された行の各副画素Ｖｐｉｘに対して、画素Ｐｉｘ毎に、もしくは複数画素毎に、あるいは全画素一斉に、信号線２５を介して表示データを書き込む。
【００１８】
図３は、画素Ｐｉｘを駆動する駆動回路の一例を示す回路図である。表示エリア部２１には、図３に示す各副画素Ｖｐｉｘの薄膜トランジスタ（ＴＦＴ；Thin  Film  Transistor）Ｔｒに表示データとして画素信号を供給する信号線２５ｎ＋１、２５ｎ＋２、２５ｎ＋３、各薄膜トランジスタＴｒを駆動する走査線２４ｍ＋１、２４ｍ＋２、２４ｍ＋３等の配線が形成されている。このように、信号線２５ｎ＋１、２５ｎ＋２、２５ｎ＋３は、上述したガラス基板１１の表面と平行な平面に延在し、副画素Ｖｐｉｘに画像を表示するための画素信号を供給する。副画素Ｖｐｉｘは、薄膜トランジスタＴｒ及び液晶素子ＬＣを備えている。薄膜トランジスタＴｒは、この例では、ｎチャネルのＭＯＳ（Metal  Oxide  Semiconductor）型のＴＦＴで構成されている。薄膜トランジスタＴｒのソース及びドレインのうち一方は信号線２５ｎ＋１、２５ｎ＋２、２５ｎ＋３に接続され、ゲートは走査線２４ｍ＋１、２４ｍ＋２、２４ｍ＋３に接続され、ソース及びドレインのうち他方は液晶素子ＬＣの一端に接続されている。液晶素子ＬＣは、一端が薄膜トランジスタＴｒに接続され、他端が共通電極ｃｏｍに接続されている。
【００１９】
副画素Ｖｐｉｘは、走査線２４ｍ＋１、２４ｍ＋２、２４ｍ＋３により、表示エリア部２１の同じ行に属する他の副画素Ｖｐｉｘと互いに接続されている。走査線２４ｍ＋１、２４ｍ＋２、２４ｍ＋３のうち奇数の走査線２４ｍ＋１、２４ｍ＋３は、第１垂直ドライバ２２Ａと接続され、第１垂直ドライバ２２Ａから後述する走査信号の垂直走査パルスが供給される。走査線２４ｍ＋１、２４ｍ＋２、２４ｍ＋３のうち偶数の走査線２４ｍ＋２、２４ｍ＋４は、第２垂直ドライバ２２Ｂと接続され、第２垂直ドライバ２２Ｂから、後述する走査信号の垂直走査パルスが供給される。このように、第１垂直ドライバ２２Ａ、第２垂直ドライバ２２Ｂは、走査方向の走査線２４ｍ＋１、２４ｍ＋２、２４ｍ＋３に交互に垂直走査パルスを印加する。また、副画素Ｖｐｉｘは、信号線２５ｎ＋１、２５ｎ＋２、２５ｎ＋３により、表示エリア部２１の同じ列に属する他の副画素Ｖｐｉｘと互いに接続されている。信号線２５ｎ＋１、２５ｎ＋２、２５ｎ＋３は、水平ドライバ２３と接続され、水平ドライバ２３より画素信号が供給される。共通電極ｃｏｍは、不図示の駆動電極ドライバと接続され、駆動電極ドライバより電圧が供給される。さらに、副画素Ｖｐｉｘは、共通電極ｃｏｍにより、表示エリア部２１の同じ列に属する他の副画素Ｖｐｉｘと互いに接続されている。
【００２０】
図１及び図２に示す第１垂直ドライバ２２Ａ、第２垂直ドライバ２２Ｂは、垂直走査パルスを、図３に示す走査線２４ｍ＋１、２４ｍ＋２、２４ｍ＋３を介して、副画素Ｖｐｉｘの薄膜トランジスタＴｒのゲートに印加することにより、表示エリア部２１にマトリクス状に形成されている副画素Ｖｐｉｘのうちの１行（１水平ライン）を表示駆動の対象として順次選択する。図１及び図２に示す水平ドライバ２３は、画素信号を、図３に示す信号線２５ｎ＋１、２５ｎ＋２、２５ｎ＋３を介して、第１垂直ドライバ２２Ａ、第２垂直ドライバ２２Ｂにより順次選択される１水平ラインを含む各副画素Ｖｐｉｘにそれぞれ供給する。そして、これらの副画素Ｖｐｉｘでは、供給される画素信号に応じて、１水平ラインの表示が行われるようになっている。
【００２１】
上述したように、表示装置１は、第１垂直ドライバ２２Ａ、第２垂直ドライバ２２Ｂが走査線２４ｍ＋１、２４ｍ＋２、２４ｍ＋３を順次走査するように駆動することにより、１水平ラインが順次選択される。また、表示装置１は、１水平ラインに属する副画素Ｖｐｉｘに対して、水平ドライバ２３が画素信号を供給することにより、１水平ラインずつ表示が行われる。この表示動作を行う際、駆動電極ドライバは、その１水平ラインに対応する共通電極ｃｏｍを印加するようになっている。
【００２２】
表示装置１は、液晶素子ＬＣに同極性の直流電圧が印加され続けることによって液晶の比抵抗（物質固有の抵抗値）等が劣化する可能性がある。表示装置１は、液晶の比抵抗（物質固有の抵抗値）等の劣化を防ぐため、駆動信号を基準として画素信号の極性を所定の周期で反転させる駆動方式が採られる。
【００２３】
この表示装置１の駆動方式として、カラム反転、ライン反転、ドット反転、フレーム反転などの駆動方式が知られている。カラム反転は、１カラム（１画素列）に相当する１Ｖ（Ｖは垂直期間）の時間周期で画素信号の極性を反転させる駆動方式である。ライン反転は、１ライン（１画素行）に相当する１Ｈ（Ｈは水平期間）の時間周期で画素信号の極性を反転させる駆動方式である。ドット反転は、互いに隣接する上下左右の画素Ｐｉｘ毎に画素信号の極性を交互に反転させる駆動方式である。フレーム反転は、１画面に相当する１フレーム毎に全画素に書き込む画素信号を一度に同じ極性で反転させる駆動方式である。
【００２４】
次に、表示エリア部２１の構成を詳細に説明する。図４は、表示部２の一例を示す断面図である。表示部２は、図４に示すように、第１基板（上側基板）５０と、この第１基板５０の表面に垂直な方向に対向して配置された第２基板（下側基板）５２と、第１基板５０と第２基板５２との間に挿設された液晶層５４とを備えている。なお、第１基板５０は、液晶層５４とは反対側の面に、バックライト６が配置されている。
【００２５】
液晶層５４は、電界の状態に応じてそこを通過する光を変調するものである。液晶層５４に含まれる液晶分子が、副画素Ｖｐｉｘ単位で液晶素子ＬＣを構成する。実施形態１では、ＦＦＳ（Fringe  Field  Switching）又はＩＰＳ等の横電界モードが採用されている。すなわち、液晶分子は、２つの基板（第１基板５０と第２基板５２）の間で、当該２つの基板と平行な面内で回転する。具体的には、液晶分子は、当該２つの基板の積層方向に立ち上がる方向の回転をせず、当該積層方向に直交する平面に沿って配向角度を変化させるように駆動される。
【００２６】
第１基板５０は、ガラスなどの透光性基板である画素基板６０と、画素基板６０の液晶層５４側に積層された第１配向膜６２と、画素基板６０の液晶層５４とは反対側に積層された第１偏光板６３と、を有する。画素基板６０については後述する。第１配向膜６２は、液晶層５４内の液晶分子を所定の方向に配向させるものであり、液晶層５４と直接に接している。第１配向膜６２は、例えば、ポリイミドなどの高分子材料からなり、例えば、塗布したポリイミド等に対してラビング処理を施すことにより形成されたものである。第１偏光板６３は、バックライト６側から入射してきた光を直線偏光に変換する機能を有している。
【００２７】
第２基板５２は、ガラスなどの透光性基板である対向基板６４と、この対向基板６４の液晶層５４側に形成されたカラーフィルタ６６と、カラーフィルタ６６の液晶層５４側に形成された第２配向膜６７と、対向基板６４の液晶層５４側とは反対側に形成された位相差板６８と、位相差板６８の対向基板６４側とは反対側に形成された第２偏光板６９と、を含む。カラーフィルタ６６は、例えば、赤（Ｒ）、緑（Ｇ）、青（Ｂ）の３色に着色された色領域を含む。実施形態１のカラーフィルタ６６は、着色されておらず全ての色の光を透過させる領域を含む。以下、この着色されていない領域を白（Ｗ）の色領域と記載する。カラーフィルタ６６は、開口部７６ｂに例えば赤（Ｒ）、緑（Ｇ）、青（Ｂ）、白（Ｗ）の４色の色領域を形成する。副画素Ｖｐｉｘの色は、カラーフィルタ６６が設けられている場合のカラーフィルタ６６の色に応じて決定される。なお、白（Ｗ）のカラーフィルタ６６を省略し、副画素Ｖｐｉｘの色を３色に限定してもよい。また、白（Ｗ）の色領域を形成する目的で、カラーフィルタ６６が設けられていない開口部７６ｂを設けてもよい。
【００２８】
実施形態１では、行方向に並ぶ２つの副画素Ｖｐｉｘが１組として画素Ｐｉｘとして対応付けられている。カラーフィルタ６６は、画素基板６０と垂直な方向において、液晶層５４と対向する。なお、カラーフィルタ６６は、異なる色に着色されていれば、他の色の組み合わせであってもよい。一般に、カラーフィルタ６６は、緑（Ｇ）の色領域の輝度が、赤（Ｒ）の色領域及び青（Ｂ）の色領域の輝度よりも高い。なお、カラーフィルタ６６は、ブラックマトリクス７６ａが図３に示す副画素Ｖｐｉｘの外周を覆うように形成されていてもよい。このブラックマトリクス７６ａは、二次元配置された副画素Ｖｐｉｘと副画素Ｖｐｉｘとの境界に配置されることで、格子形状となる。そして、ブラックマトリクス７６ａは、光の吸収率が高い材料で形成される。
【００２９】
第２配向膜６７は、第１配向膜６２と同様に、液晶層５４内の液晶分子を所定の方向に配向させるものであり、液晶層５４と直接に接している。第２配向膜６７は、例えば、ポリイミドなどの高分子材料からなり、例えば、塗布したポリイミド等に対してラビング処理を施すことにより形成されたものである。位相差板６８は、第１偏光板６３及び第２偏光板６９に生じる偏光板起因の視野角を補償する機能を有する。第２偏光板６９は、偏光板吸収軸と平行な直線偏光成分を吸収し、直交する偏光成分を透過する機能を有している。第２偏光板６９は、液晶のＯＮ／ＯＦＦ状態に依存して光を透過／遮断する機能を有している。位相差版６８の反対側に位置する第２偏光板６９の一面が、実施形態１における表示面である。
【００３０】
このように、実施形態１では、各副画素Ｖｐｉｘが有する液晶素子ＬＣにおける液晶分子の配向は、第１配向膜６２及び第２配向膜６７に基づいて決定されている。
【００３１】
次に、図５及び図６を用いて、画素基板６０について説明する。図５は、実施形態１に係る表示装置１の画素Ｐｉｘを模式的に示す平面図である。図６は、実施形態１に係る表示装置１の画素Ｐｉｘをスイッチングするトランジスタの一例を模式的に示す断面図である。画素基板６０は、透光性基板７１に各種回路が形成されたＴＦＴ基板であり、この画素基板６０上にマトリクス状に配設された複数の画素電極７２と、共通電極ｃｏｍと、を含む。図６に示すように、画素電極７２と共通電極ｃｏｍとは、第４絶縁膜７３ｄで絶縁され、画素基板６０の表面に垂直な方向において、対向している。画素電極７２及び共通電極ｃｏｍは、ＩＴＯ（Indium  Tin  Oxide）等の透光性導電材料（透光性導電酸化物）で形成される透光性電極である。
【００３２】
図３に示す副画素Ｖｐｉｘのスイッチング素子である薄膜トランジスタＴｒをトランジスタＴｒ１とする場合、画素基板６０は、透光性基板７１に、上述した各副画素Ｖｐｉｘのスイッチング素子であるトランジスタＴｒ１が形成された半導体層であるアイランド２５ｃ、各画素電極７２に画素信号を供給する信号線２５、トランジスタＴｒ１を駆動する走査線２４等の配線が積層されている。
【００３３】
図５及び図６に示すように、走査線２４は、アイランド２５ｃの一部と立体交差して、トランジスタＴｒ１のゲートとして作用する。トランジスタＴｒ１は、例えばソース線２５ａ，ドレイン線２５ｂ及びアイランド２５ｃの電気的接続関係によってｎチャネルであるチャネル領域ｃｈがパターニングされている。半導体層は、例えば、低温ポリシリコンで形成されている。信号線２５は、透光性基板７１の表面と平行な平面に延在し、画素Ｐｉｘに画像を表示するための画素信号を供給する。半導体層は、一部が信号線２５のソース線２５ａと接し、他の一部が信号線２５と同一の層に形成されたドレイン線２５ｂと電気的に接続している。実施形態１のドレイン線２５ｂは、スルーホールＳＨ１において、画素電極７２と電気的に接続している。実施形態１において、走査線２４は、例えばモリブデン（Ｍｏ）、アルミニウム（Ａｌ）等の金属の配線であり、信号線２５は、アルミニウム等の金属の配線である。実施形態１の画素基板６０は、透光性基板７１上に、アイランド２５ｃ、第１絶縁膜７３ａ、走査線２４、第２絶縁膜７３ｂ、信号線２５（ソース線２５ａ及びドレイン線２５ｂを含む）、第３絶縁膜７４ａ、共通電極ｃｏｍ、第４絶縁膜７３ｄ、画素電極７２、第１配向膜６２の順で積層されている。
【００３４】
実施形態１の第１絶縁膜７３ａ、第２絶縁膜７３ｂ、第３絶縁膜７３ｃ及び第４絶縁膜７３ｄは、例えばＳｉＮｘ（窒化シリコン）又は酸化シリコン等の無機絶縁材料若しくはポリイミド樹脂等の有機系絶縁材料で形成されている。なお、第１絶縁膜７３ａ、第２絶縁膜７３ｂ、第３絶縁膜７３ｃ及び第４絶縁膜７３ｄの各層を形成する材料はこれに限定されない。また、第１絶縁膜７３ａ、第２絶縁膜７３ｂ、第３絶縁膜７３ｃ及び第４絶縁膜７３ｄは、同じ絶縁材料で構成されたものであってもよいし、一部又は全部がそれぞれ異なる絶縁材料で構成されたものであってもよい。
【００３５】
画素基板６０は、各副画素Ｖｐｉｘに対応して画素電極７２に開口部ＳＬが形成されており、共通電極ｃｏｍと画素電極７２との間に形成される電界のうち、画素電極７２の開口部ＳＬからもれた電界（フリンジ電界）で液晶５４を駆動させる。このように、実施形態１の表示部２は、対向する２つの基板（画素基板６０と、対向基板６４）のうち一方の基板（例えば、画素基板６０）に設けられた電極（画素電極７２）に与えられる電位に基づいて、当該２つの基板の間に設けられた液晶層５４の液晶分子を回転させる液晶パネルである。
【００３６】
図５に示す開口部ＳＬの長手方向は、各副画素Ｖｐｉｘの液晶分子の配向に沿う方向である。また、各副画素Ｖｐｉｘが設けられている方向は、開口部ＳＬの長手方向と同一方向である。すなわち、図５に示す第１副画素Ｖｐｉｘａの液晶分子の配向は、第１方向Ｖ１に沿う。また、図５に示す第２副画素Ｖｐｉｘｂの液晶分子の配向は、第２方向Ｖ２に沿う。互いに交差する第１方向Ｖ１と第２方向Ｖ２の２方向は、表示部２の表示面に沿い、かつ、行列方向と異なる方向である。図５に示すように、副画素Ｖｐｉｘは、画素電極７２の開口部ＳＬの長手方向が第１方向Ｖ１である第１副画素Ｖｐｉｘａと、画素電極７２の開口部ＳＬの長手方向が第２方向Ｖ２である第２副画素Ｖｐｉｘｂとを含む。このように、実施形態１の表示部２は、液晶分子の配向が異なる複数の副画素Ｖｐｉｘを含む所謂擬似マルチドメインの液晶パネルである。なお、第１方向と第２方向は、第３方向及び第４方向のうち少なくとも一方に対して対称の関係となるよう、当該少なくとも一方と形成する鋭角が同一の角度であることが好ましい。第１方向と第２方向は、対称でなくてもよく、当該少なくとも一方と形成する鋭角が同一角度でなくてもよい。
【００３７】
図７は、実施形態１における第１副画素Ｖｐｉｘａと第２副画素Ｖｐｉｘｂの配置例を示す図である。図７等では、ｍ行×ｎ列に並ぶ副画素Ｖｐｉｘのうち、行方向に並ぶ８つの副画素Ｖｐｉｘの位置を示す座標として、行方向の一端側からｘ１，ｘ２，ｘ３，ｘ４，ｘ５，ｘ６，ｘ７，ｘ８を付している。後述する図１０等では、行方向に並ぶ８つの副画素Ｖｐｉｘの位置を示す座標として、行方向の一端側からｘ２，ｘ３，ｘ４，ｘ５，ｘ６，ｘ７，ｘ８，ｘ９を付している。また、列方向に並ぶ８つの副画素Ｖｐｉｘの位置を示す座標として、列方向の一端側からｙ１，ｙ２，ｙ３，ｙ４，ｙ５，ｙ６，ｙ７，ｙ８を付している。
【００３８】
実施形態１では、行方向に並ぶ２つの副画素Ｖｐｉｘが１組として画素Ｐｉｘとして対応付けられている。画素Ｐｉｘは、２つの第１副画素Ｖｐｉｘａを有する画素Ｐｉｘａと２つの第２副画素Ｖｐｉｘｂを有する画素Ｐｉｘｂとを含む。また、行方向に並ぶ副画素Ｖｐｉｘは第１副画素Ｖｐｉｘａ又は第２副画素Ｖｐｉｘｂで統一されている。例えば、図７に示すように、ｙ１，ｙ２，ｙ５，ｙ６に位置する副画素Ｖｐｉｘは全て第１副画素Ｖｐｉｘａである。また、ｙ３，ｙ４，ｙ７，ｙ８に位置する副画素Ｖｐｉｘは全て第２副画素Ｖｐｉｘｂである。すなわち、列方向の一端側から数えて所定数（例えば、４つ）分の副画素Ｖｐｉｘが構成する第１副画素Ｖｐｉｘａと第２副画素Ｖｐｉｘｂの並び順が、所定数単位で繰り返される。図７では、ｙ１，ｙ２，ｙ３，ｙ４の４つ分の副画素Ｖｐｉｘが構成する第１副画素Ｖｐｉｘａと第２副画素Ｖｐｉｘｂの並び順が、ｙ５，ｙ６，ｙ７，ｙ８の４つ分の副画素Ｖｐｉｘで繰り返されている。実施形態１では、この所定数を一周期として、第１副画素Ｖｐｉｘａと第２副画素Ｖｐｉｘｂの並びが列方向に繰り返される。このように、図７に示す例では、列方向に第１副画素Ｖｐｉｘａと第２副画素Ｖｐｉｘｂが一周期を構成する副画素Ｖｐｉｘの数が４αである。ここで、αは自然数である。また、一周期内で列方向の一端側から数えた場合に第１副画素Ｖｐｉｘａが奇数番目にある数、第１副画素Ｖｐｉｘａが偶数番目にある数、第２副画素Ｖｐｉｘｂが奇数番目にある数及び第２副画素Ｖｐｉｘｂが偶数番目にある数が等しい。図７に示す例の場合、一周期内で列方向の一端側から数えた場合に第１副画素Ｖｐｉｘａが奇数番目にある数、第１副画素Ｖｐｉｘａが偶数番目にある数、第２副画素Ｖｐｉｘｂが奇数番目にある数及び第２副画素Ｖｐｉｘｂが偶数番目にある数はそれぞれ１である。実施形態１では、α＝１である。また、実施形態１では、一周期内で列方向の一端側から数えた場合における第１副画素Ｖｐｉｘａの連続数と第２副画素Ｖｐｉｘｂの連続数が等しい。具体的には、図７に示す例では、第１副画素Ｖｐｉｘａの連続数及び第２副画素Ｖｐｉｘｂの連続数は２である。
【００３９】
図８は、実施形態１における画素Ｐｉｘ及び副画素Ｖｐｉｘの配置パターン例を示す図である。図８が示すように、１つの画素Ｐｉｘが有する複数の副画素Ｖｐｉｘの色はそれぞれ異なる。また、実施形態１では、行列方向に隣接する副画素Ｖｐｉｘの色は、それぞれ異なる。具体的には、各副画素Ｖｐｉｘが有するカラーフィルタ６６により形成される開口部７６ｂの色領域が、隣り合う副画素Ｖｐｉｘ同士でそれぞれ異なるよう、カラーフィルタ６６の色領域が設けられている。すなわち、副画素Ｖｐｉｘの色の差異は、カラーフィルタ６６の色領域の差異である。
【００４０】
パターン１−１では、複数の画素Ｐｉｘは、赤（Ｒ）の副画素Ｖｐｉｘと緑（Ｇ）の副画素Ｖｐｉｘを有するＲＧ画素と、青（Ｂ）の副画素Ｖｐｉｘと白（Ｗ）の副画素Ｖｐｉｘを有するＢＷ画素とを含む。また、パターン１−１では、ＲＧ画素とＢＷ画素とは、行列方向に沿って交互に配置されている。具体的には、ＲＧ画素は、例えば、行方向の一端側に位置する赤（Ｒ）の副画素Ｖｐｉｘと、行方向の他端側に位置する緑（Ｇ）の副画素Ｖｐｉｘを有する。また、ＢＷ画素は、例えば、行方向の一端側に位置する青（Ｂ）の副画素Ｖｐｉｘと、行方向の他端側に位置する白（Ｗ）の副画素Ｖｐｉｘを有する。一端側と他端側の副画素Ｖｐｉｘの色は逆であってもよい。
【００４１】
パターン１−２では、複数の画素Ｐｉｘは、赤（Ｒ）の副画素Ｖｐｉｘと緑（Ｇ）の副画素Ｖｐｉｘを有するＲＧ画素と、赤（Ｒ）の副画素Ｖｐｉｘと青（Ｂ）の副画素Ｖｐｉｘを有するＢＲ画素と、緑（Ｇ）の副画素Ｖｐｉｘと青（Ｂ）の副画素Ｖｐｉｘを有するＧＢ画素とを含む。また、パターン１−２では、行方向にＲＧ画素、ＢＲ画素及びＧＢ画素が周期的に配置されている。また、パターン１−２では、列方向にＲＧ画素、ＢＲ画素及びＧＢ画素のうち２つの画素が交互に配置されている。また、パターン１−２では、異なる色の副画素Ｖｐｉｘが行列方向に並ぶ。具体的には、ＢＲ画素は、例えば、行方向の一端側に位置する青（Ｂ）の副画素Ｖｐｉｘと、行方向の他端側に位置する赤（Ｒ）の副画素Ｖｐｉｘを有する。また、ＧＢ画素は、例えば、行方向の一端側に位置する緑（Ｇ）の副画素Ｖｐｉｘと、行方向の他端側に位置する青（Ｂ）の副画素Ｖｐｉｘを有する。一端側と他端側の副画素Ｖｐｉｘの色は逆であってもよい。
【００４２】
図８に示すパターン１−１及びパターン１−２の画素Ｐｉｘ及び副画素Ｖｐｉｘの配置例では、行方向及び列方向への繰り返し単位になる最低限の画素Ｐｉｘ及び副画素Ｖｐｉｘの配置単位を示している。すなわち、パターン１−１が採用された実施形態１の表示装置１では、行方向及び列方向にＲＧ画素又はＢＷ画素の一方、他方、一方、他方…となるように、ＲＧ画素とＢＷ画素が交互に並ぶ。また、パターン１−２が採用された実施形態１の表示装置１では、行方向にＲＧ画素、ＢＲ画素又はＧＢ画素のうち１つ、他の１つ、残りの１つ、１つ、他の１つ、残りの１つ…となるように、ＲＧ画素、ＢＲ画素、ＧＢ画素が周期的に並ぶ。また、列方向にＲＧ画素、ＢＲ画素又はＧＢ画素のうち１つ、他の１つ、１つ、他の１つ、１つ…となるように、ＲＧ画素、ＢＲ画素、ＧＢ画素のうち２つの種類の画素Ｐｉｘが周期的に並ぶ。このように、図８に示すパターン１−１及びパターン１−２は、列方向に１つの色のパターンを構成する副画素Ｖｐｉｘの数が２αである。
【００４３】
なお、副画素Ｖｐｉｘが取り得る色の全てが１つの画素Ｐｉｘに含まれない場合、１つの画素Ｐｉｘで画素信号に応じた再現が不可能な色成分を、当該色成分に対応する副画素Ｖｐｉｘを有する他の画素に割り当てるサブピクセルレンダリングが行われる。例えば、ＲＧ画素に対して青（Ｂ）の色成分を含む画素信号が入力された場合、当該青（Ｂ）の色成分が当該ＲＧ画素に隣接するＢＷ画素のいずれか１つ以上に割り当てられる。
【００４４】
実施形態１で採用される画素Ｐｉｘ及び副画素Ｖｐｉｘの配置パターン、すなわち、カラーフィルタ６６の色領域の配置パターンは、図８に示すパターン１−１又はパターン１−２のいずれか一方であってよいし、他のパターンであってもよい（後述）。
【００４５】
図９は、明暗を含む表示パターンの一例を示す図である。図９に示す表示パターンは、相対的に高輝度（例えば、（Ｒ，Ｇ，Ｂ）＝（２５５，２５５，２５５））の画素信号が与えられる１つの画素Ｐｉｘと、相対的に低輝度（例えば、（Ｒ，Ｇ，Ｂ）＝（０，０，０））の画素信号が与えられる２つの画素Ｐｉｘが行方向に周期的に並び、列方向に同一の画素信号が与えられる画素Ｐｉｘが並ぶストライプ状の表示パターンである。図９では、表示パターンにおいて相対的に高輝度の画素信号が与えられる画素Ｐｉｘの配置を白の矩形で示し、相対的に低輝度の画素信号が与えられる画素Ｐｉｘの配置を黒の矩形で示している。以下の説明で参照する図１０、図１１、図１３、図１４における表示出力は、図９に示す表示パターンに対応する表示出力である。図１０等では、図９における相対的に低輝度の画素信号が与えられる画素Ｐｉｘが有する副画素Ｖｐｉｘを黒で塗りつぶしている。
【００４６】
図１０は、図８のパターン１−１が示す画素Ｐｉｘ及び副画素Ｖｐｉｘの配置パターンを有する実施形態１の表示装置１で図９の表示パターンに対応した表示出力を行った場合の例を示す模式図である。図１１は、図８のパターン１−２が示す画素Ｐｉｘ及び副画素Ｖｐｉｘの配置パターンを有する実施形態１の表示装置で図９の表示パターンに対応した表示出力を行った場合の例を示す模式図である。図９に示す表示パターンの場合、１カラム、すなわち、１画素分の幅に対応する２つの副画素Ｖｐｉｘが相対的に高い透過率で光を透過させる状態になる。また、当該２つの副画素Ｖｐｉｘに対して行方向に並ぶ２カラムに対応する４つの副画素Ｖｐｉｘが、当該２つの副画素Ｖｐｉｘを挟んだ行方向の一端側及び他端側で、相対的に低い透過率で光を透過させる（又は、透過させない）状態になる。図１０及び図１１では、ｘ５，ｘ６に位置する１つの画素Ｐｉｘが有する２つの副画素Ｖｐｉｘが相対的に高い透過率で光を透過させる状態になっている。また、図１０では、ｘ２，ｘ３，ｘ４，ｘ７，ｘ８，ｘ９に位置する副画素Ｖｐｉｘが相対的に低い透過率で光を透過させる（又は、透過させない）状態になっている。また、図１１では、ｘ２，ｘ３，ｘ８，ｘ９に位置する副画素Ｖｐｉｘが相対的に低い透過率で光を透過させる（又は、透過させない）状態になっている。
【００４７】
図１０及び図１１では、列方向に並ぶ第１副画素Ｖｐｉｘａと第２副画素Ｖｐｉｘｂの並びの１周期（４行）を破線Ｐ１で囲っている。図１０において当該１周期内で相対的に高い透過率で光を透過させる副画素Ｖｐｉｘのうち、第１副画素Ｖｐｉｘａの色の種類及び数は、赤（Ｒ）、緑（Ｇ）、青（Ｂ）及び白（Ｗ）がそれぞれ１つずつである。また、図１０において当該１周期内で相対的に高い透過率で光を透過させる副画素Ｖｐｉｘのうち、第２副画素Ｖｐｉｘｂの色の種類及び数は、赤（Ｒ）、緑（Ｇ）、青（Ｂ）及び白（Ｗ）がそれぞれ１つずつである。
【００４８】
図１１のようにｘ５，ｘ６に位置する１カラムがＧＢ画素とＢＲ画素を含む画素列である場合、破線Ｐ１で示す１周期内で相対的に高い透過率で光を透過させる副画素Ｖｐｉｘのうち、第１副画素Ｖｐｉｘａの色の種類及び数は、赤（Ｒ）及び緑（Ｇ）がそれぞれ１つずつ、青（Ｂ）が２つである。また、当該１周期内で相対的に高い透過率で光を透過させる副画素Ｖｐｉｘのうち、第２副画素Ｖｐｉｘｂの色の種類及び数は、赤（Ｒ）及び緑（Ｇ）がそれぞれ１つずつ、青（Ｂ）が２つである。
【００４９】
図示しないが、ｘ５，ｘ６に位置する１カラムがＲＧ画素とＢＲ画素を含む画素列である場合、１周期内で相対的に高い透過率で光を透過させる副画素Ｖｐｉｘのうち、第１副画素Ｖｐｉｘａ及び第２副画素Ｖｐｉｘｂの色の種類及び数は、赤（Ｒ）が２つ、緑（Ｇ）及び青（Ｂ）がそれぞれ１つずつである。また、ｘ５，ｘ６に位置する１カラムがＲＧ画素とＧＢ画素を含む画素列である場合、１周期内で相対的に高い透過率で光を透過させる副画素Ｖｐｉｘのうち、第１副画素Ｖｐｉｘａ及び第２副画素Ｖｐｉｘｂの色の種類及び数は、赤（Ｒ）及び青（Ｂ）がそれぞれ１つずつ、緑（Ｇ）が２つである。
【００５０】
なお、図１１等、副画素Ｖｐｉｘの色が赤（Ｒ）、緑（Ｇ）、青（Ｂ）の３色である例では、相対的に高い透過率で光を透過させる１カラムの画素列における画素Ｐｉｘに含まれない色の副画素Ｖｐｉｘであって、行方向の一端側及び他端側でそれぞれ当該１カラムと隣接する１つの当該色の副画素Ｖｐｉｘ（隣接副画素）でも光を透過させている。これによって、相対的に高輝度の画素信号に対応する出力を行っている。例えば、隣接副画素はそれぞれ、相対的に高い透過率で光を透過させる１カラムの画素列における画素Ｐｉｘの半分の光（半減光）を透過させるよう制御される。
【００５１】
図１１のようにｘ４，ｘ７に隣接画素の副画素Ｖｐｉｘが位置する場合、破線Ｐ１で示す１周期内で半減光を透過させる副画素Ｖｐｉｘのうち、第１副画素Ｖｐｉｘａの色の種類及び数は、赤（Ｒ）及び緑（Ｇ）がそれぞれ２つずつである。また、当該１周期内で半減光を透過させる副画素Ｖｐｉｘのうち、第２副画素Ｖｐｉｘｂの色の種類及び数は、赤（Ｒ）及び緑（Ｇ）がそれぞれ２つずつである。なお、実施形態１等、本発明の実施形態では１つの画素Ｐｉｘが２つの副画素Ｖｐｉｘを有する構成としているため、サブピクセルレンダリングが行われるが、これに限られるものでない。１つの画素Ｐｉｘが３つ以上の副画素Ｖｐｉｘを有していてもよい。また、１つの画素Ｐｉｘが有する副画素Ｖｐｉｘで画素信号に応じた全ての色の再現が可能である場合、サブピクセルレンダリングは行わなくてもよい。
【００５２】
図示しないが、ｘ５，ｘ６に位置する１カラムがＲＧ画素とＢＲ画素を含む画素列である場合、１周期内で半減光を透過させる副画素Ｖｐｉｘのうち、第１副画素Ｖｐｉｘａ及び第２副画素Ｖｐｉｘｂの色の種類及び数は、緑（Ｇ）及び青（Ｂ）がそれぞれ２つずつである。また、ｘ５，ｘ６に位置する１カラムがＲＧ画素とＧＢ画素を含む画素列である場合、１周期内で半減光を透過させる副画素Ｖｐｉｘのうち、第１副画素Ｖｐｉｘａ及び第２副画素Ｖｐｉｘｂの色の種類及び数は、赤（Ｒ）及び青（Ｂ）がそれぞれ２つずつである。
【００５３】
このように、パターン１−１及びパターン１−２が採用された実施形態１によれば、１周期内に含まれる第１副画素Ｖｐｉｘａの色の種類及び数と第２副画素Ｖｐｉｘｂの色の種類及び数とが同じである。この均等性は、１カラムの範囲内（図３参照）であっても、２カラム以上の範囲内であっても成立する。
【００５４】
なお、実施形態１では、図１０に示すように、パターン１−１では半減光を透過させる隣接副画素を設定していない。これは、ｘ５，ｘ６に位置する１カラム内に、赤（Ｒ）、緑（Ｇ）、青（Ｂ）が均等に含まれるためである。パターン１−１が採用された場合であっても、半減光を透過させる隣接副画素を設定してもよい。パターン１−１で半減光を透過させる隣接副画素を設定したとしても、１周期内に含まれる第１副画素Ｖｐｉｘａの色の種類及び数と第２副画素Ｖｐｉｘｂの色の種類及び数は、同じになる。
【００５５】
図１２は、参考例における第１副画素Ｖｐｉｘａと第２副画素Ｖｐｉｘｂの配置例を示す図である。図１２に示す参考例では、ｙ１，ｙ３，ｙ５，ｙ７に位置する副画素Ｖｐｉｘは全て第１副画素Ｖｐｉｘａである。また、ｙ２，ｙ４，ｙ６，ｙ８に位置する副画素Ｖｐｉｘは全て第２副画素Ｖｐｉｘｂである。このように、参考例では、列方向に第１副画素Ｖｐｉｘａと第２副画素Ｖｐｉｘｂが交互に入れ替わっている。すなわち、参考例は、列方向に第１副画素Ｖｐｉｘａと第２副画素Ｖｐｉｘｂが一周期を構成する副画素Ｖｐｉｘの数が２である。
【００５６】
図１３は、図８のパターン１−１が示す画素Ｐｉｘ及び副画素Ｖｐｉｘの配置パターンを有する参考例の表示装置で図９の表示パターンに対応した表示出力を行った場合の例を示す模式図である。図１４は、図８のパターン１−２が示す画素Ｐｉｘ及び副画素Ｖｐｉｘの配置パターンを有する参考例の表示装置で図９の表示パターンに対応した表示出力を行った場合の例を示す模式図である。図１３及び図１４では、図１０及び図１１と同様、ｘ５，ｘ６に位置する１つの画素Ｐｉｘが有する２つの副画素Ｖｐｉｘが相対的に高い透過率で光を透過させる状態になっている。また、図１３では、図１０と同様、ｘ２，ｘ３，ｘ４，ｘ７，ｘ８，ｘ９に位置する副画素Ｖｐｉｘが相対的に低い透過率で光を透過させる（又は、透過させない）状態になっている。また、図１４では、図１０と同様、ｘ２，ｘ３，ｘ８，ｘ９に位置する副画素Ｖｐｉｘが相対的に低い透過率で光を透過させる（又は、透過させない）状態になっている。
【００５７】
図１３において破線Ｐで示す１周期内で相対的に高い透過率で光を透過させる副画素Ｖｐｉｘのうち、第１副画素Ｖｐｉｘａの色の種類及び数は、赤（Ｒ）及び緑（Ｇ）がそれぞれ１つずつである。また、破線Ｐで示す１周期内で相対的に高い透過率で光を透過させる副画素Ｖｐｉｘのうち、第２副画素Ｖｐｉｘｂの色の種類及び数は、青（Ｂ）及び白（Ｗ）がそれぞれ１つずつである。
【００５８】
図１４のようにｘ５，ｘ６に位置する１カラムがＲＢ画素とＧＲ画素を含む画素列である場合、破線Ｐで示す１周期内で相対的に高い透過率で光を透過させる副画素Ｖｐｉｘのうち、第１副画素Ｖｐｉｘａの色の種類及び数は、赤（Ｒ）及び青（Ｂ）がそれぞれ１つずつである。また、破線Ｐで示す１周期内で相対的に高い透過率で光を透過させる副画素Ｖｐｉｘのうち、第２副画素Ｖｐｉｘｂの色の種類及び数は、赤（Ｒ）及び緑（Ｇ）がそれぞれ１つずつである。また、図１４のようにｘ４，ｘ７に隣接画素の副画素Ｖｐｉｘが位置する場合、破線Ｐで示す１周期内で半減光を透過させる副画素Ｖｐｉｘのうち、第１副画素Ｖｐｉｘａの色の種類及び数は、緑（Ｇ）が２つである。また、破線Ｐで示す１周期内で半減光を透過させる副画素Ｖｐｉｘのうち、第２副画素Ｖｐｉｘｂの色の種類及び数は、青（Ｂ）が２つである。
【００５９】
このように、列方向に第１副画素Ｖｐｉｘａと第２副画素Ｖｐｉｘｂが交互に入れ替わっている参考例によれば、１周期内に含まれる第１副画素Ｖｐｉｘａの色の種類及び数と第２副画素Ｖｐｉｘｂの色の種類及び数とが同じにならない。このため、参考例では、第１方向Ｖ１から見た場合と第２方向Ｖ２から見た場合で表示出力内容の色合いが違って見える。例えば、（Ｒ，Ｇ，Ｂ）＝（２５５，２５５，２５５）のような白色になるはずの表示出力内容であっても、第１方向Ｖ１から見た場合、配向が第１方向Ｖ１により近い副画素Ｖｐｉｘの色がより強く現れる。同様に、第２方向Ｖ２から見た場合、配向が第２方向Ｖ２により近い副画素Ｖｐｉｘの色がより強く現れる。このように、参考例では視野角次第で意図しない色付きが発生してしまうことがある。特に、副画素Ｖｐｉｘの色としてパターン１−２が採用されている場合、単色の視野角ガンマがずれることにより、色付きが発生する。
【００６０】
これに対し、実施形態１では、１周期内に含まれる第１副画素Ｖｐｉｘａの色の種類及び数と第２副画素Ｖｐｉｘｂの色の種類及び数とが同じである。このため、実施形態１では、視野角に関わらず、副画素Ｖｐｉｘの色の偏りが発生することを抑制することができる。すなわち、参考例で生じている色付きを、実施形態１では抑制することができる。以上説明したように、実施形態１によれば、このような色付きによるカラーシフトをより確実に抑制することができる。
【００６１】
また、パターン１−１が採用されることで、副画素Ｖｐｉｘの色を４色にすることができる。特に、白（Ｗ）の副画素Ｖｐｉｘによってより高い輝度を確保しやすくなる。また、半減光を透過させる隣接副画素が必ずしも必要ないため、画素Ｐｉｘの透過率制御をよりシンプルにすることができる。
【００６２】
また、パターン１−２が採用されることで、副画素Ｖｐｉｘの色を３色にすることができる。特に、当該３色を赤（Ｒ）、緑（Ｇ）、青（Ｂ）とすることで、一般的なＲＧＢ色空間に基づいた表示出力により簡便に対応することができる。
【００６３】
（実施形態２）
次に、実施形態２に係る表示装置について説明する。実施形態２に係る表示装置の説明では、実施形態１に係る表示装置と同様の構成について同じ符号を付して説明を省略することがある。
【００６４】
図１５は、実施形態２における第１副画素Ｖｐｉｘａと第２副画素Ｖｐｉｘｂの配置例を示す図である。図１５等では、ｍ行×ｎ列に並ぶ副画素Ｖｐｉｘのうち、行方向に並ぶ８つの副画素Ｖｐｉｘの位置を示す座標として、行方向の一端側からｘ１，ｘ２，ｘ３，ｘ４，ｘ５，ｘ６，ｘ７，ｘ８を付している。後述する図１７等では、行方向に並ぶ８つの副画素Ｖｐｉｘの位置を示す座標として、行方向の一端側からｘ２，ｘ３，ｘ４，ｘ５，ｘ６，ｘ７，ｘ８，ｘ９を付している。また、列方向に並ぶ８つの副画素Ｖｐｉｘの位置を示す座標として、列方向の一端側からｙ１，ｙ２，ｙ３，ｙ４，ｙ５，ｙ６，ｙ７，ｙ８，ｙ９，ｙ１０，ｙ１１，ｙ１２を付している。
【００６５】
実施形態２では、例えば、図１５に示すように、ｙ１，ｙ２，ｙ３，ｙ７，ｙ８，ｙ９に位置する副画素Ｖｐｉｘは全て第１副画素Ｖｐｉｘａである。また、ｙ４，ｙ５，ｙ６，ｙ１０，ｙ１１，ｙ１２に位置する副画素Ｖｐｉｘは全て第２副画素Ｖｐｉｘｂである。このように、図１５に示す例では、列方向に第１副画素Ｖｐｉｘａと第２副画素Ｖｐｉｘｂが一周期を構成する副画素Ｖｐｉｘの数が６αである。図１５に示す例では、α＝１である。また、実施形態２では、一周期内で列方向の一端側から数えた場合における第１副画素Ｖｐｉｘａの連続数と第２副画素Ｖｐｉｘｂの連続数が３βである。図１５に示す例では、β＝１である。ここで、βは自然数である。
【００６６】
図１６は、実施形態２における画素Ｐｉｘ及び副画素Ｖｐｉｘの配置パターン例を示す図である。図１６に示すパターン２−１及びパターン２−２の画素Ｐｉｘ及び副画素Ｖｐｉｘの配置例では、図８に示すパターン１−１及びパターン１−２の画素Ｐｉｘ及び副画素Ｖｐｉｘの配置例と同様、行方向及び列方向への繰り返し単位になる最低限の画素Ｐｉｘ及び副画素Ｖｐｉｘの配置単位を示している。すなわち、図１６に示すパターン２−１及びパターン２−２は、列方向に１つの色のパターンを構成する副画素Ｖｐｉｘの数が３αである。
【００６７】
実施形態２のパターン２−１は、実施形態１のパターン１−２と同様、赤（Ｒ）の副画素Ｖｐｉｘと緑（Ｇ）の副画素Ｖｐｉｘを有するＲＧ画素と、赤（Ｒ）の副画素Ｖｐｉｘと青（Ｂ）の副画素Ｖｐｉｘを有するＢＲ画素と、緑（Ｇ）の副画素Ｖｐｉｘと青（Ｂ）の副画素Ｖｐｉｘを有するＧＢ画素とを含む。また、パターン２−１では、行列方向にＲＧ画素、ＢＲ画素及びＧＢ画素が周期的に配置され、異なる色の副画素Ｖｐｉｘが行列方向に並ぶ。具体的には、パターン２−１では、例えば図１６に示すように、行方向及び列方向にＲＧ画素、ＢＲ画素、ＧＢ画素、ＲＧ画素、ＢＲ画素、ＧＢ画素…となるように、ＲＧ画素、ＢＲ画素、ＧＢ画素の順番で並ぶ周期を繰り返すことで、異なる色の副画素Ｖｐｉｘが行列方向に並ぶようになっている。実施形態２でも、実施形態１と同様、１つの画素Ｐｉｘが２つの副画素Ｖｐｉｘを有する構成としている場合、サブピクセルレンダリングが行われる。
【００６８】
実施形態２のパターン２−２は、パターン２−１と異なり、赤（Ｒ）の副画素Ｖｐｉｘと緑（Ｇ）の副画素Ｖｐｉｘを有するＲＧ画素と、赤（Ｒ）の副画素Ｖｐｉｘと青（Ｂ）の副画素Ｖｐｉｘを有するＲＢ画素と、緑（Ｇ）の副画素Ｖｐｉｘと青（Ｂ）の副画素Ｖｐｉｘを有するＢＧ画素とを含む。具体的には、ＲＧ画素は、例えば、行方向の一端側に位置する赤（Ｒ）の副画素Ｖｐｉｘと、行方向の他端側に位置する緑（Ｇ）の副画素Ｖｐｉｘを有する。また、ＲＢ画素は、例えば、行方向の一端側に位置する赤（Ｒ）の副画素Ｖｐｉｘと、行方向の他端側に位置する青（Ｂ）の副画素Ｖｐｉｘを有する。また、ＢＧ画素は、例えば、行方向の一端側に位置する青（Ｂ）の副画素Ｖｐｉｘと、行方向の他端側に位置する緑（Ｇ）の副画素Ｖｐｉｘを有する。一端側と他端側の副画素Ｖｐｉｘの色は逆であってもよい。
【００６９】
パターン２−２では、行方向にＲＧ画素、ＢＲ画素及びＢＧ画素が周期的に配置され、赤（Ｒ）の副画素Ｖｐｉｘ、緑（Ｇ）の副画素Ｖｐｉｘ及び青（Ｂ）の副画素Ｖｐｉｘのうち２つの色の副画素Ｖｐｉｘが列方向に２つ連続する。具体的には、パターン２−２では、例えば図１６に示すように、行方向及び列方向にＲＧ画素、ＢＧ画素、ＲＢ画素、ＲＧ画素、ＢＧ画素、ＲＢ画素…となるように、ＲＧ画素、ＢＧ画素、ＲＢ画素の順番で並ぶ周期を繰り返すことで、赤（Ｒ）、緑（Ｇ）の副画素Ｖｐｉｘが列方向に２つ連続するようになっている。
【００７０】
図１７は、図１６のパターン２−１が示す画素Ｐｉｘ及び副画素Ｖｐｉｘの配置パターンを有する実施形態２の表示装置で図９の表示パターンに対応した表示出力を行った場合の例を示す模式図である。図１８は、図１６のパターン２−２が示す画素Ｐｉｘ及び副画素Ｖｐｉｘの配置パターンを有する実施形態２の表示装置で図９の表示パターンに対応した表示出力を行った場合の例を示す模式図である。図１７、図１８に示す各画素Ｐｉｘの光の透過率は、図１０、図１１と同様である。
【００７１】
図１７及び図１８では、列方向に並ぶ第１副画素Ｖｐｉｘａと第２副画素Ｖｐｉｘｂの並びの１周期（６行）を破線Ｐ２で囲っている。図１７及び図１８において当該１周期内で相対的に高い透過率で光を透過させる副画素Ｖｐｉｘのうち、第１副画素Ｖｐｉｘａ及び第２副画素Ｖｐｉｘｂの色の種類及び数は、赤（Ｒ）、緑（Ｇ）及び青（Ｂ）がそれぞれ２つずつである。また、図１７において当該１周期内で半減光を透過させる副画素Ｖｐｉｘのうち、第１副画素Ｖｐｉｘａ及び第２副画素Ｖｐｉｘｂの色の種類及び数は、赤（Ｒ）、緑（Ｇ）及び青（Ｂ）がそれぞれ２つずつである。また、図１８において当該１周期内で半減光を透過させる副画素Ｖｐｉｘのうち、第１副画素Ｖｐｉｘａ及び第２副画素Ｖｐｉｘｂの色の種類及び数は、赤（Ｒ）、緑（Ｇ）及び青（Ｂ）がそれぞれ１つずつである。
【００７２】
このように、パターン２−１及びパターン２−２が採用された実施形態２によれば、１周期内に含まれる第１副画素Ｖｐｉｘａの色の種類及び数と第２副画素Ｖｐｉｘｂの色の種類及び数とが同じである。この均等性は、１カラムの範囲内（図３参照）であっても、２カラム以上の範囲内であっても成立する。
【００７３】
以上、特筆した特徴を除いて、実施形態２に係る表示装置は、実施形態１に係る表示装置と同様である。
【００７４】
実施形態２によれば、実施形態１と同様、１周期内に含まれる第１副画素Ｖｐｉｘａの色の種類及び数と第２副画素Ｖｐｉｘｂの色の種類及び数とが同じである。このため、参考例で生じている色付きを、実施形態２によっても抑制することができる。以上説明したように、実施形態２によれば、このような色付きによるカラーシフトをより確実に抑制することができる。
【００７５】
また、パターン２−１又はパターン２−２が採用されることで、副画素Ｖｐｉｘの色を３色にすることができる。特に、当該３色を赤（Ｒ）、緑（Ｇ）、青（Ｂ）とすることで、一般的なＲＧＢ色空間に基づいた表示出力により簡便に対応することができる。また、パターン２−１が採用されることで、列方向に並ぶ副画素Ｖｐｉｘの色が連続することを抑制することができる。また、パターン２−２が採用されることで、３色全てで副画素Ｖｐｉｘの色が斜め方向に連続することを抑制することができる。
【００７６】
なお、図１６を参照して説明したパターン２−１は、図７を参照して説明した実施形態１における第１副画素Ｖｐｉｘａと第２副画素Ｖｐｉｘｂの配置と組み合わせて用いることができる。ただし、この場合、α＝２（１２行周期）である。
【００７７】
図１９は、図１６のパターン２−１が示す画素Ｐｉｘ及び副画素Ｖｐｉｘの配置パターンを有する実施形態１の表示装置で図９の表示パターンに対応した表示出力を行った場合の例を示す模式図である。図１９では、列方向に並ぶ第１副画素Ｖｐｉｘａと第２副画素Ｖｐｉｘｂの並びの１周期（１２行）を破線Ｐ２ａで囲っている。図１９において当該１周期内で相対的に高い透過率で光を透過させる副画素Ｖｐｉｘのうち、第１副画素Ｖｐｉｘａ及び第２副画素Ｖｐｉｘｂの色の種類及び数は、赤（Ｒ）、緑（Ｇ）及び青（Ｂ）がそれぞれ４つずつである。また、図１９において当該１周期内で半減光を透過させる副画素Ｖｐｉｘのうち、第１副画素Ｖｐｉｘａ及び第２副画素Ｖｐｉｘｂの色の種類及び数は、赤（Ｒ）、緑（Ｇ）及び青（Ｂ）がそれぞれ４つずつである。
【００７８】
このように、パターン２−１が採用された実施形態１によれば、１周期内に含まれる第１副画素Ｖｐｉｘａの色の種類及び数と第２副画素Ｖｐｉｘｂの色の種類及び数とが同じである。この均等性は、１カラムの範囲内（図３参照）であっても、２カラム以上の範囲内であっても成立する。従って、図１９に示す例でも、カラーシフトをより確実に抑制することができる。
【００７９】
図２０は、図１６のパターン２−２が示す画素及び副画素の配置パターンを有する実施形態２の表示装置で図１２に示す第１副画素と第２副画素の配置例が採用された表示装置で図９の表示パターンに対応した表示出力を行った場合の例を示す模式図である。パターン２−２は、例えば図２０に示すように、図１２を参照して説明した第１副画素Ｖｐｉｘａと第２副画素Ｖｐｉｘｂの配置と組み合わせて用いることができる。この場合、列方向に１つの色のパターンを構成する副画素Ｖｐｉｘの数が３αである。また、この場合、列方向に第１副画素Ｖｐｉｘａと第２副画素Ｖｐｉｘｂが一周期を構成する副画素Ｖｐｉｘの数が６αである。また、この場合、一周期内で列方向の一端側から数えた場合における第１副画素Ｖｐｉｘａの連続数と第２副画素Ｖｐｉｘｂの連続数が３βよりも小さい数（例えば、１）である。この場合、１周期内で相対的に高い透過率で光を透過させる副画素Ｖｐｉｘのうち、第１副画素Ｖｐｉｘａ及び第２副画素Ｖｐｉｘｂの色の種類及び数は、赤（Ｒ）、緑（Ｇ）及び青（Ｂ）がそれぞれ２αずつである。また、当該１周期内で半減光を透過させる副画素Ｖｐｉｘのうち、第１副画素Ｖｐｉｘａ及び第２副画素Ｖｐｉｘｂの色の種類及び数は、赤（Ｒ）、緑（Ｇ）及び青（Ｂ）がそれぞれ２αずつである。
【００８０】
（実施形態３）
次に、実施形態３に係る表示装置について説明する。実施形態３に係る表示装置の説明では、実施形態１に係る表示装置と同様の構成について同じ符号を付して説明を省略することがある。
【００８１】
図２１は、実施形態３における第１副画素Ｖｐｉｘａと第２副画素Ｖｐｉｘｂの配置の一例を示す図である。図２２は、実施形態３における第１副画素Ｖｐｉｘａと第２副画素Ｖｐｉｘｂの配置の別の一例を示す図である。図２１等では、ｍ行×ｎ列に並ぶ副画素Ｖｐｉｘのうち、行方向に並ぶ８つの副画素Ｖｐｉｘの位置を示す座標として、行方向の一端側からｘ１，ｘ２，ｘ３，ｘ４，ｘ５，ｘ６，ｘ７，ｘ８を付している。後述する図２４等では、行方向に並ぶ８つの副画素Ｖｐｉｘの位置を示す座標として、行方向の一端側からｘ２，ｘ３，ｘ４，ｘ５，ｘ６，ｘ７，ｘ８，ｘ９を付している。また、列方向に並ぶ８つの副画素Ｖｐｉｘの位置を示す座標として、列方向の一端側からｙ１，ｙ２，ｙ３，ｙ４，ｙ５，ｙ６，ｙ７，ｙ８を付している。
【００８２】
図２１に示す例では、ｙ１，ｙ２，ｙ３，ｙ４に位置する副画素Ｖｐｉｘは全て第１副画素Ｖｐｉｘａであり、ｙ５，ｙ６，ｙ７，ｙ８に位置する副画素Ｖｐｉｘは全て第２副画素Ｖｐｉｘｂである。図２２に示す例では、ｙ１，ｙ３，ｙ４，ｙ６に位置する副画素Ｖｐｉｘは全て第１副画素Ｖｐｉｘａであり、ｙ２，ｙ５，ｙ７，ｙ８に位置する副画素Ｖｐｉｘは全て第２副画素Ｖｐｉｘｂである。このように、図２１及び図２２に示す例では、実施形態１と同様、列方向に第１副画素Ｖｐｉｘａと第２副画素Ｖｐｉｘｂが一周期を構成する副画素Ｖｐｉｘの数が４αである。ただし、図２１及び図２２に示す例では、α＝２（８行周期）である。
【００８３】
実施形態３では、実施形態１と同様、一周期内で列方向の一端側から数えた場合における第１副画素Ｖｐｉｘａの連続数と第２副画素Ｖｐｉｘｂの連続数が等しい。具体的には、図２１に示す例では、第１副画素Ｖｐｉｘａの連続数及び第２副画素Ｖｐｉｘｂの連続数は４である。また、図２２に示す例では、第１副画素Ｖｐｉｘａの連続数及び第２副画素Ｖｐｉｘｂの連続数は２（又は、１）である。
【００８４】
図２３は、実施形態３における画素Ｐｉｘ及び副画素Ｖｐｉｘの配置パターン例を示す図である。図２３に示すパターン３の画素Ｐｉｘ及び副画素Ｖｐｉｘの配置例では、図８に示すパターン１−１の画素Ｐｉｘ及び副画素Ｖｐｉｘの配置例等と同様、行方向及び列方向への繰り返し単位になる最低限の画素Ｐｉｘ及び副画素Ｖｐｉｘの配置単位を示している。すなわち、図２３に示すパターン３は、列方向に１つの色のパターンを構成する副画素Ｖｐｉｘの数が２αである。ここで、αは自然数である。
【００８５】
実施形態３のパターン３は、実施形態１のパターン１−２と同様、ＲＧ画素と、ＢＲ画素と、ＧＢ画素とを含む。また、パターン３では、行方向にＲＧ画素、ＢＲ画素及びＧＢ画素が周期的に配置され、列方向にＲＧ画素、ＢＲ画素及びＧＢ画素のうち２つの画素Ｐｉｘが残り１つの画素Ｐｉｘを間に挟んで周期的に配置されている。具体的には、パターン３では、例えば図２３に示すように、行方向にＲＧ画素、ＢＲ画素、ＧＢ画素、ＲＧ画素、ＢＲ画素、ＧＢ画素…となるように、ＲＧ画素、ＢＲ画素、ＧＢ画素の順番で並ぶ周期を繰り返すことで、異なる色の副画素Ｖｐｉｘが行方向に並ぶようになっている。また、図２３に示す例では、列方向の一端側から数えて偶数列目の画素行における画素Ｐｉｘの配置が同じになっている。これによって、偶数列目の画素行を「残り１つの画素Ｐｉｘ」として、奇数列目の画素行に配置されているＲＧ画素、ＢＲ画素及びＧＢ画素のうち２つの画素Ｐｉｘが当該残り１つの画素Ｐｉｘを間に挟む周期性を形成している。実施形態３でも、実施形態１，２と同様、１つの画素Ｐｉｘが２つの副画素Ｖｐｉｘを有する構成としている場合、サブピクセルレンダリングが行われる。
【００８６】
図２４は、図２３のパターン３が示す画素Ｐｉｘ及び副画素Ｖｐｉｘの配置パターンを有する実施形態３の表示装置の一例（図２１）で図９の表示パターンに対応した表示出力を行った場合の例を示す模式図である。図２５は、図２３のパターン３が示す画素Ｐｉｘ及び副画素Ｖｐｉｘの配置パターンを有する実施形態３の表示装置の別の一例（図２２）で図９の表示パターンに対応した表示出力を行った場合の例を示す模式図である。図２４、図２５に示す各画素Ｐｉｘの光の透過率は、図１０、図１１と同様である。
【００８７】
図２４及び図２５では、列方向に並ぶ第１副画素Ｖｐｉｘａと第２副画素Ｖｐｉｘｂの並びの１周期（８行）を破線Ｐ３で囲っている。図２４及び図２５のように、列方向の一端側から数えて偶数列目の画素行においてｘ５，ｘ６に位置する画素ＰｉｘがＲＧ画素である場合、当該１周期内で相対的に高い透過率で光を透過させる副画素Ｖｐｉｘのうち、第１副画素Ｖｐｉｘａ及び第２副画素Ｖｐｉｘｂの色の種類及び数は、赤（Ｒ）及び緑（Ｇ）がそれぞれ３つずつ、青（Ｂ）が２つである。また、この場合、当該１周期内で半減光を透過させる副画素Ｖｐｉｘのうち、第１副画素Ｖｐｉｘａ及び第２副画素Ｖｐｉｘｂの色の種類及び数は、赤（Ｒ）及び緑（Ｇ）がそれぞれ２つずつ、青（Ｂ）が４つである。
【００８８】
図示しないが、列方向の一端側から数えて偶数列目の画素行においてｘ５，ｘ６に位置する画素ＰｉｘがＢＲ画素である場合、当該１周期内で相対的に高い透過率で光を透過させる副画素Ｖｐｉｘのうち、第１副画素Ｖｐｉｘａ及び第２副画素Ｖｐｉｘｂの色の種類及び数は、赤（Ｒ）及び青（Ｂ）がそれぞれ３つずつ、緑（Ｇ）が２つである。また、この場合、当該１周期内で半減光を透過させる副画素Ｖｐｉｘのうち、第１副画素Ｖｐｉｘａ及び第２副画素Ｖｐｉｘｂの色の種類及び数は、赤（Ｒ）及び青（Ｂ）がそれぞれ２つずつ、緑（Ｇ）が４つである。また、列方向の一端側から数えて偶数列目の画素行においてｘ５，ｘ６に位置する画素ＰｉｘがＧＢ画素である場合、当該１周期内で相対的に高い透過率で光を透過させる副画素Ｖｐｉｘのうち、第１副画素Ｖｐｉｘａ及び第２副画素Ｖｐｉｘｂの色の種類及び数は、緑（Ｇ）及び青（Ｂ）がそれぞれ３つずつ、赤（Ｒ）が２つである。また、この場合、当該１周期内で半減光を透過させる副画素Ｖｐｉｘのうち、第１副画素Ｖｐｉｘａ及び第２副画素Ｖｐｉｘｂの色の種類及び数は、緑（Ｇ）及び青（Ｂ）がそれぞれ２つずつ、赤（Ｒ）が４つである。
【００８９】
このように、パターン３が採用された実施形態３によれば、１周期内に含まれる第１副画素Ｖｐｉｘａの色の種類及び数と第２副画素Ｖｐｉｘｂの色の種類及び数とが同じである。この均等性は、１カラムの範囲内（図３参照）であっても、２カラム以上の範囲内であっても成立する。
【００９０】
以上、特筆した特徴を除いて、実施形態３に係る表示装置は、実施形態１に係る表示装置と同様である。
【００９１】
実施形態３によれば、実施形態１と同様、１周期内に含まれる第１副画素Ｖｐｉｘａの色の種類及び数と第２副画素Ｖｐｉｘｂの色の種類及び数とが同じである。このため、参考例で生じている色付きを、実施形態３によっても抑制することができる。以上説明したように、実施形態３によれば、このような色付きによるカラーシフトをより確実に抑制することができる。
【００９２】
また、パターン３が採用されることで、副画素Ｖｐｉｘの色を３色にすることができる。特に、当該３色を赤（Ｒ）、緑（Ｇ）、青（Ｂ）とすることで、一般的なＲＧＢ色空間に基づいた表示出力により簡便に対応することができる。また、パターン３が採用されることで、列方向に並ぶ副画素Ｖｐｉｘの色が連続することを抑制することができる。
【００９３】
なお、αは１又は２に限られるものでない。また、βは１に限られるものでない。α，βは、自然数であればよい。
【００９４】
また、実施形態の説明における行方向と列方向の関係は、あくまで一方向と他方向の一例であってこれに限られるものでなく、逆であってもよい。
【００９５】
また、実施形態では、第１の色、第２の色、第３の色、第４の色として、赤（Ｒ）、緑（Ｇ）、青（Ｂ）、白（Ｗ）を例示しているが、第１の色、第２の色、第３の色、第４の色はこの例が示す色に限られるものでなく、適宜変更可能である。例えば、第１の色、第２の色、第３の色は、シアン（Ｃ）、マゼンタ（Ｍ）、イエロー（Ｙ）であってもよい。また、赤（Ｒ）、緑（Ｇ）、青（Ｂ）である第１の色、第２の色、第３の色と組み合わせられる第４の色として、イエロー（Ｙ）を採用してもよい。
【００９６】
また、実施形態において述べた態様によりもたらされる他の作用効果について本明細書記載から明らかなもの、又は当業者において適宜想到し得るものについては、当然に本発明によりもたらされるものと解される。
【符号の説明】
【００９７】
１  表示装置
２  表示部
６  バックライト
１１  ガラス基板
２１  表示エリア部
２２Ａ  第１垂直ドライバ
２２Ｂ  第２垂直ドライバ
２４  走査線
２５  信号線
５４  液晶層
６０  画素基板
６４  対向基板
６６  カラーフィルタ
７２  画素電極
９０  半導体層
ＬＣ  液晶素子
ｃｏｍ  共通電極
Ｐｉｘ  画素
Ｖｐｉｘ  副画素
Ｖ１  第１方向
Ｖ２  第２方向
Ｖｐｉｘａ  第１副画素
Ｖｐｉｘｂ  第２副画素
【図１】
2019074568.tif 000003
【図２】
2019074568.tif 000004
【図３】
2019074568.tif 000005
【図４】
2019074568.tif 000006
【図５】
2019074568.tif 000007
【図６】
2019074568.tif 000008
【図７】
2019074568.tif 000009
【図８】
2019074568.tif 000010
【図９】
2019074568.tif 000011
【図１０】
2019074568.tif 000012
【図１１】
2019074568.tif 000013
【図１２】
2019074568.tif 000014
【図１３】
2019074568.tif 000015
【図１４】
2019074568.tif 000016
【図１５】
2019074568.tif 000017
【図１６】
2019074568.tif 000018
【図１７】
2019074568.tif 000019
【図１８】
2019074568.tif 000020
【図１９】
2019074568.tif 000021
【図２０】
2019074568.tif 000022
【図２１】
2019074568.tif 000023
【図２２】
2019074568.tif 000024
【図２３】
2019074568.tif 000025
【図２４】
2019074568.tif 000026
【図２５】
2019074568.tif 000027